(57)【要約】【課題】高齢化と核家族化が進む日本国において、高齢者世帯とその子供世帯が距離的乖離をおいて生活の基盤を形成する傾向が多くあり、高齢者世帯自身の孤独感、孤立感ばかりではなく、関係家族にとっては離れて生活をしているがゆえの高齢となった親への不安、心配等の問題が発生していた。【解決手段】インターネットのセキュリティ機能の付いた家族専用のホームページを関係家族に代わって代行作成及び運営するものであり、高齢者世帯へは地域の主催者又は代行者が訪問、取材しその生情報を随時掲載、更新し、また関係家族は当該専用ホームページ内の掲示板等にての情報交換が可能となり、また当該高齢者世帯に対して距離的乖離のある関係家族に代行したさまざまなサービスを高齢者世帯の地域社会にて提供することを可能とした双方向情報伝達システムにより、上記課題を解決する。【選択図】　　図２
2004046760.tif 000002
【特許請求の範囲】
【請求項１】
高齢化と核家族化が進む日本国において、高齢者世帯とその子供世帯が距離的乖離をおいて生活の基盤を形成する傾向が多くあり、高齢者世帯の孤立感や関係家族を含めた不安、心配等の問題が発生しており、その解決手段としてインターネットの当該家族専用のホームページを関係家族に代わって代行作成するものであり、高齢者へはその地域の代行者が訪問、取材しその情報を随時掲載、更新し、また閏係家族は専用ホームペイジ内の掲示板等にての情報交換が可能となり、また当該高齢者世帯に対して距離的乖離のある関係家族に代わって代行したさまざまなサービスを提供することを可能とした情報伝達システム。
【請求項２】
高齢化と核家族化が進む日本国において、高齢者世帯とその子供世帯が距離的乖離をおいて生活の基盤を形成する傾向が多くあり、高齢者世帯の孤立感や関係家族を含めた不安、心配等の問題が発生しており、その解決手段としてインターネットの当該家族専用のホームページを関係家族に代わって代行作成するものであり、高齢者へはその地域の代行者が訪問、取材しその情報を随時掲載、更新し、また関係家族は専用ホームページ内の掲示板等にての情報交換が可能となり、また当該高齢者世帯に対して距離的乖離のある関係家族に代わって代行したさまざまなオプション的サービスも提供することを可能とした情報伝達システムであり、サービスには、高齢者の肉体的補助サービスのみではなく、高齢者を狙った所謂悪徳商法的な犯罪被害防止への対応、救急事態への対応サービス等も可能とした情報伝達システム。
【発明の詳細な説明】
【０００１】
【発明の属する技術分野】
本発明は一般家庭、施設等にて生活する高齢者世帯と、それとは距離的乖離をもって生活する家族が、インターネットを使っての双方向情報交換を可能とするものであり、特にパソコン操作が困難である高齢者及び高齢者世帯を、当該インターネット情報ネットワークに参画可能とせしめる双方向情報システムに関する。
【０００２】
【従来の技術】
従来、高齢者がインターネット情報に関わるには、高齢者自身にパソコン操作を習得させることに力点が置かれて来たが、現実的には困難なことでもあり、高齢者自身がインターネットのもつ多くの利便性を享受することからは疎外されていた。また従来、インターネット関連が提供するサービスにも、当該インターネット情報ネットワークに高齢者自身が関わることを想定していないため、高齢者が本当に必要としている具体的サービス等の脆弱さがあった。
【０００３】
【発明が解決しょうとする課題】
一般家庭、施設等にて生活する高齢者世帯と、それとは距離的乖離をもって生活する家族が、インターネットを使っての双方向情報交換が可能とするものであり、特にパソコン操作が困難である高齢者及び高齢者世帯を、当該インターネット情報ネットワークに参画可能とせしめる双方向情報システムを発明した。
【０００４】
また、本発明は従来のように、高齢者自身が困難なパソコン操作を習得せずともインターネット情報ネットワークに参画出来るという、従来のもつインターネット利用法の欠点を解決したばかりではなく、当該システムが提供できる附帯サービスを享受できるという優れた特徴をもつものである。
【０００５】
また、本発明による代行者（主催者）により運営される家族間等の専用ホームページにはインターネットにて可能なセキュリティ機能を施してあるので、家族個人のプライバシー等にも配慮されたシステムとなっている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するため本発明は、第一に代行者（主催者）が管理するコンピュータのサーバー内に、セキュリティ機能付きの専用ホームページ用のホルダを作成し、当該システム参加希望の家族等にＩＤ及びパスワードを発行する。第二に当該高齢者世帯地域の特定者（担当者）が高齢者宅を定期的に訪問し、生活状況の把握、異常のチエック等をするとともに、家族が専用ホームページの掲示板等に書きこまれた伝達情報等を、伝言文書、印刷画像等にて代行伝達をする。その際、「話し相手」的役務により友好的な新しい人間関係を構築し高齢者の孤独感、孤立感を緩和すべく努める。第三に担当者が、高齢者（高齢者世帯）より持ち帰った情報は当該サーバーに文書、画像等にて掲載され、距離的乖離のある関係家族に所謂「生情報」を提供する。第四に主催者は、当該情報交換等によって必要とされる附帯サービスを距離的乖離のある家族の依頼、依託によって代行実行することが可能である。
【０００８】
【発明の実施の形態】
以下、図面に示す実施の形態により、本発明を詳細に説明する。
【０００９】
本発明は、図１に示すとおり、高齢者世帯（Ａ）は子供の別居家族（１）、別居家族（２）、別居家族（３）とそれぞれが距離的乖離をもって生活している場合に、それぞれの別居家族が家庭にインターネット接続可能な環境をもって、代行者（主催者）とサービスの契約をする。その場合契約に高齢者世帯（Ａ）を含めても良いが、高齢者世帯自身がインターネット接続環境を持つ必要はない。
主催者は、インターネット用サーバーにセキュリティ付きホルダを作成し当該家族専用ホームページとする。別居家族（１）、（２）、（３）は、主催者から発行されたＩＤ、パスワードにより随意に専用ホームページにアクセスし、掲示板等にて家族間の情報交換等が出来るようになる。同時に主催者又は担当者は、地域の当該高齢者世帯を定期的に訪問し、専用ホームページ記載等の別居家族（１）、同じく（２）、同じく（３）関連の情報を文書印刷、画像印刷、音声録音等の形で情報伝達を代行する。また同時に訪問者は、高齢者世帯の訪問情報を依頼伝言等含めて取材して持ち帰り当該専用ホームページに文書、写真等の形にて掲載する。また、当該専用ホームページには主催者もアクセス可能であるので、別居家族から要望案件を代行サービスすることも可能である。
【００１０】
【実施例】
図２は本発明の実施例である。高齢者世帯５と別居世帯６、別居世帯７、別居世帯８は親と子供の関係の家族であり、それぞれが距離的乖離ある場所で生活している場合、一般的には特に高齢者世帯５に孤立、孤独の問題が発生しがちであり、子供の立場では高齢となった親の健康等の心配を抱いている。
そうした件の問題解決として、主催者３が管理するサーバー１内に設定された当該家族専用ホームページ２に、各々がインターネット接続環境をもった別居家族６、別居家族７、別居家族８が随時アクセスし、専用掲示板等にて家族間の情報交換等をする。一方、主催者３側はインターネット９での家族の当該情報交換ネットワークにパソコン操作等が困難な高齢者世帯５が入れるように、担当者４が定期的に高齢者世帯５を訪問し、当該専用ホームページ２等にて依託された情報を印刷文書、印刷画像等にて伝達１２する。また同時に、訪問時に高齢者世帯５の健康状態や心配事等の生情報を取材１３し、主催者に報告１３する。主催者３は、取材情報１３を当該専用ホームページ２に掲載し、随時更新をしていく。
【００１１】
またインターネットはそのアクセス距離を問わないコストパフォーマンス、情報速度等に優れてているが、当実施例のように高齢者世帯５との距離的乖離がある場合は、弱点もある。例えば高齢者世帯５で救急または緊急事態等が発生した場合には、当該家族が果すべき対応が遅れてしまったり困難であったりする場合がある。そうした場合にはオプション１０で予め取り決めていれば、高齢者世帯５の地域社会にある主催者３または担当者４等が、当該家族の委託労務等を実行できる。また、セキュリテイ機器１１と本システムを連携させることにより、より充実したサービスも可能となる。
【００１２】
【発明の効果】
以上の説明から明らかなように、本発明にあっては次の効果が得れる。
【００１３】
当該双方向情報交換システムを用いれば、高齢者自身が困難なパソコン操作を習得せずとも、距離的乖離をもって生活している家族間のインターネット情報ネットワークに参画できるとともに、新たな地域の人間関係が構築され高齢者世帯が抱きがちな孤独感、孤立感の解消に役立つばかりではなく、従来のインターネット利用法の欠点であるところの仮想空間ではなく、所謂生情報を代行取材、報告が得られるばかりではなく、地域に密着した実労務サービス等も可能となった。
【００１４】
【図面の簡単な説明】
【図１】本発明の説明図（１）。
【図２】本発明の説明図（２）。
【符号の説明】
１　：　サーバー、
２　：　専用ホームページ、
３　：　主催者、
４　：　担当者、
５　：　高齢者（世帯）、
６　：　別居家族（１）、
７　：　別居家族（２）、
８　：　別居家族（３）、
９　：　インターネット、
１０：　オプション、
１１：　セキュリティ機器、
１２：　情報伝達、
１３：　状況取材、報告。
【図１】
2004046760.tif 000003
【図２】
2004046760.tif 000004